(57)【要約】【課題】高画質の番組コンテンツを記憶保存することが可能で、その番組コンテンツを自由に他の機器に移動して利用することもでき、さらに一旦より画質的に劣る形式に変換して他の機器に移動して利用した時にも、再度元の高画質の番組コンテンツに戻して利用することが可能となる。【解決手段】第１の符号化映像情報から、第１の符号化映像情報よりも画質が劣る第２の方式で符号化した第２の符号化映像情報を作成する手段と、第２の符号化映像情報から第１の符号化映像情報を作成するための第１の差分情報を作成する手段とを有し、第２の符号化映像情報と第１の差分情報とのいずれか一方あるいは両方を他の機器に出力することがあり、第１の符号化映像情報を削除することがあり、第２の符号化映像情報と第１の差分情報とから第１の符号化映像情報を作成することがある。【選択図】図１
2006295785.tif 000002
【特許請求の範囲】
【請求項１】
第１の符号化映像情報から、前記第１の符号化映像情報よりも画質が劣る第２の方式で符号化した第２の符号化映像情報を作成する手段と、
前記第２の符号化映像情報から前記第１の符号化映像情報を作成するための第１の差分情報を作成する手段とを有する、
映像情報制御装置。
【請求項２】
前記第１の符号化映像情報を受信する手段をさらに有する、
請求項１記載の映像情報制御装置。
【請求項３】
前記第２の符号化映像情報と前記第１の差分情報とを作成した後に前記第１の符号化映像情報を削除する手段をさらに有する、
請求項１または請求項２に記載の映像情報制御装置。
【請求項４】
前記第２の符号化映像情報と前記第１の差分情報とを同一鍵または異なる鍵で暗号化する手段をさらに有する、
請求項１から請求項３のいずれか１項に記載の映像情報制御装置。
【請求項５】
前記第２の符号化映像情報と前記第１の差分情報とのいずれか一方または両方を第１の外部機器に出力する手段をさらに有する、
請求項１から請求項４のいずれか１項に記載の映像情報制御装置。
【請求項６】
前記第１の外部機器はＳＤメモリカードである、
請求項５に記載の映像情報制御装置。
【請求項７】
前記第２の符号化映像情報と前記第１の差分情報とから前記第１の符号化映像情報を作成する手段をさらに有する、
請求項１から請求項６のいずれか１項に記載の映像情報制御装置。
【請求項８】
前記第２の符号化映像情報はＭＰＥＧ−４規格による符号化映像情報である、
請求項１から請求項７のいずれか１項に記載の映像情報制御装置。
【請求項９】
前記第２の符号化映像情報と前記第１の差分情報は、ビデオシンタックス階層のビジュアルオブジェクトとビデオオブジェクトレイヤとビデオオブジェクトプレーンとのいずれか１つあるいはいくつかを使って生成される、
請求項１から請求項８のいずれか１項に記載の映像情報制御装置。
【請求項１０】
前記第２の符号化映像情報は一部のフレームを元に生成され、前記第１の差分情報はそれ以外のフレームを元に生成される、
請求項１から請求項９のいずれか１項に記載の映像情報制御装置。
【請求項１１】
前記第２の符号化映像情報は必要に応じて再符号化が行われる、
請求項１０に記載の映像情報制御装置。
【請求項１２】
前記一部のフレームはフレーム内圧縮フレームおよび前方向フレーム間圧縮フレームのいずれか一方または両方である、
請求項１０に記載の映像情報制御装置。
【請求項１３】
前記第２の符号化映像情報は前記第１の符号化映像情報を低解像度に変換したものであり、前記第１の差分情報は前記第２の符号化映像情報を前記第１の符号化映像情報に戻す際に必要となる情報から作成される、
請求項１から請求項１２のいずれか１項に記載の映像情報制御装置。
【請求項１４】
前記低解像度への変換は、各画素の全部あるいは一部を抽出または平均化することで行われる、
請求項１３に記載の映像情報制御装置。
【請求項１５】
前記第２の符号化映像情報は輝度信号または色差信号の全部あるいは一部を抽出または平均化することで行われ、
前記第１の差分情報は前記第２の符号化映像情報を前記第１の符号化映像情報に戻す際に必要となる情報から作成される、
請求項１から請求項１４のいずれか１項に記載の映像情報制御装置。
【請求項１６】
第３の方式で符号化した第３の符号化映像情報を受信する手段と、
前記第３の符号化映像情報から前記第３の方式よりも画像が優れる第４の方式で符号化した第４の符号化映像情報を作成するための第２の差分情報を受信する手段とを有する、
映像情報制御装置。
【請求項１７】
前記第３の符号化映像情報と前記第２の差分情報とは同一鍵または異なる鍵で暗号化されている、
請求項１６に記載の映像情報制御装置。
【請求項１８】
前記第３の符号化映像情報と前記第２の差分情報とのいずれか一方または両方を第２の外部機器に出力する手段をさらに有する、
請求項１６または請求項１７に記載の映像情報制御装置。
【請求項１９】
前記第２の外部機器はＳＤメモリカードである、
請求項１８に記載の映像情報制御装置。
【請求項２０】
前記第３の符号化映像情報と前記第２の差分情報とから前記第４の符号化映像情報を作成する手段をさらに有する、
請求項１６から請求項１９のいずれか１項に記載の映像情報制御装置。
【請求項２１】
前記第３の符号化映像情報はＭＰＥＧ−４規格による符号化映像情報である、
請求項１６から請求項２０のいずれか１項に記載の映像情報制御装置。
【請求項２２】
前記第２の符号化映像情報と前記第１の差分情報は、ビデオシンタックス階層のビジュアルオブジェクトとビデオオブジェクトレイヤとビデオオブジェクトプレーンとのいずれか１つあるいはいくつかを使って生成される、
請求項１６から請求項２１のいずれか１項に記載の映像情報制御装置。
【請求項２３】
前記第３の符号化映像情報は一部のフレームを元に生成され、前記第２の差分情報はそれ以外のフレームを元に生成される、
請求項１６から請求項２２のいずれか１項に記載の映像情報制御装置。
【請求項２４】
前記第２の符号化映像情報は必要に応じて再符号化が行われる、
請求項２３に記載の映像情報制御装置。
【請求項２５】
前記一部のフレームはフレーム内圧縮フレームおよび前方向フレーム間圧縮フレームのいずれか一方または両方である、
請求項２３に記載の映像情報制御装置。
【請求項２６】
前記第２の符号化映像情報は前記第１の符号化映像情報を低解像度に変換したものであり、前記第１の差分情報は前記第２の符号化映像情報を前記第１の符号化映像情報に戻す際に必要となる情報から作成される、
請求項１６から請求項２５のいずれか１項に記載の映像情報制御装置。
【請求項２７】
前記低解像度への変換は、各画素の全部あるいは一部を抽出または平均化することで行われる、
請求項２６に記載の映像情報制御装置。
【請求項２８】
前記第２の符号化映像情報は輝度信号または色差信号の全部あるいは一部を抽出または平均化することで行われ、
前記第１の差分情報は前記第２の符号化映像情報を前記第１の符号化映像情報に戻す際に必要となる情報から作成される、
請求項１６から請求項２７のいずれか１項に記載の映像情報制御装置。
【請求項２９】
第１の符号化映像情報から、前記第１の符号化映像情報よりも画質が劣る第２の方式で符号化した第２の符号化映像情報を作成する手順と、
前記第２の符号化映像情報から前記第１の符号化映像情報を作成するための第１の差分情報を作成する手順とを有する、
映像情報制御方法。
【請求項３０】
コンピュータによって実行されるプログラムであって、
第１の符号化映像情報から、前記第１の符号化映像情報よりも画質が劣る第２の方式で符号化した第２の符号化映像情報を作成するステップと、
前記第２の符号化映像情報から前記第１の符号化映像情報を作成するための第１の差分情報を作成するステップとを有する、
映像情報制御プログラム。
【請求項３１】
コンピュータによって読み取り可能な記録媒体であって、
請求項３０に記載の映像情報制御プログラムを記録した記録媒体。
【発明の詳細な説明】
【技術分野】
【０００１】
本特許出願に係る発明（以後、「本発明」という）は、デジタルテレビ放送やその他の映像情報を受信し、何らかの処理、例えば符号化、符号変換、記憶、読み出し、視聴、他の機器への送信・配信、その他の各種処理を行う、映像情報制御装置、映像情報制御方法、映像情報制御プログラムおよび映像情報制御プログラムを記録した記録媒体に関するものである。
【背景技術】
【０００２】
従来の、各種コンテンツを受信し、何らかの処理、例えば符号化、符号変換、記憶、読み出し、視聴、他の機器への送信・配信、その他の各種処理を行う機器や装置には、例えば下記特許文献１に記載された、磁気メモリにデジタルオーディオを記憶し、選択し、再生するための方法およびデバイスならびに不正コピーを防止する電子安全システムや、その他のデジタルテレビ放送受信機等があった。
【０００３】
図５に従来のデジタル放送受信機９００の主要部のブロック構成図を示す。
【０００４】
なお、図５では本発明に直接かつ密接に関連する部分だけを示し、それ以外の部分は省略している。
【０００５】
デジタル放送受信機９００では、受信部９０１で放送電波を受信する。
【０００６】
受信された放送電波は選局・復号部９０４で選局と復号が行われ、制御部９０２へ送られる。
【０００７】
制御部９０２へ送られたデータは、操作部（図示せず）からの操作指示に基づいて、再生部（図示せず）のスピーカや表示部（どちらも図示せず）で映像音声として再生されたり、あるいは記憶部９０３へ送られて、番組コンテンツ９４１としてＭＰＥＧ−２形式で記憶されたり、番組コンテンツ９４２としてＭＰＥＧ−４形式で記憶される。
【０００８】
この時、例えば、そのコンテンツの著作権管理情報が１つのコピーを保持することしか許可していなかったとすると、ＭＰＥＧ−２形式の番組コンテンツ９４１またはＭＰＥＧ−４形式の番組コンテンツ９４２のどちらか一方しか記憶部９０３には記憶できないことに、留意しなければならない。
【０００９】
このようなケースで、ＭＰＥＧ−４形式とＭＰＥＧ−２形式とでは、通常一般的にはＭＰＥＧ−２形式は通常のテレビ画質あるいはハイビジョン画質で記録され、ＭＰＥＧ−４形式は携帯電話等のモバイル機器で再生できるようＣＩＦ画質等で記録される。よって、ＭＰＥＧ−２形式の方が画質的には優れていると考えられるため、このデジタル放送受信機９００は、記憶部９０３にＭＰＥＧ−２形式の番組コンテンツ９４１だけを記憶したと仮定する。
【００１０】
そして、操作部からの操作指示に基づいて、記憶部９０３に記憶している番組コンテンツ９４１を入出力部９０５を経由してＳＤメモリカード９２２に書き出し、そのＳＤメモリカード９２２に記録された番組コンテンツ９４１を他の機器９３１で利用すると仮定する。
【００１１】
さらに、このＳＤメモリカード９２２の記憶容量あるいは他の機器９３１の性能上の要請から、番組コンテンツ９４１をＭＰＥＧ−４形式に変換して出力しなければならないと仮定する。
【００１２】
このような仮定の下では、制御部９０２が記憶部９０３に記憶されているＭＰＥＧ−２形式の番組コンテンツ９４１を読み出し、デコードあるいはエンコードしてＭＰＥＧ−４形式の番組コンテンツ９４２を作成し、その番組コンテンツ９４２を入出力部９０５を経由してＳＤメモリカード９２２に書き出し、そのＳＤメモリカード９２２に記録された番組コンテンツ９４１を他の機器９３１で利用することができる。
【００１３】
しかしながら、上記の通り、このコンテンツの著作権管理情報が１つのコピーを保持することしか許可していなかったとすると、デジタル放送受信機９００は、この時同時に、記憶部９０３に記憶しているＭＰＥＧ−２形式の番組コンテンツ９４１を消去しなければならない。
【００１４】
そして次に、他の機器９３１での番組コンテンツ９４２の利用を終わり、その番組コンテンツ９４２を再度デジタル放送受信機９００で利用、あるいはデジタル放送受信機９００で記憶保持するため、再度ＳＤメモリカード９２２と入出力部９０５とを経由して、デジタル放送受信機９００の制御部９０２がそのＭＰＥＧ−４形式の番組コンテンツ９４２を読み込み、記憶部９０３に記憶すると仮定する。
【００１５】
この時、制御部９０２はＭＰＥＧ−４形式の番組コンテンツ９４２をそのままのＭＰＥＧ−４形式で記憶部９０３に記憶することもできるし、ＭＰＥＧ−２形式の番組コンテンツ９４１に変換して記憶部９０３に記憶することもできる。
【００１６】
しかしながら仮に、制御部９０２はＭＰＥＧ−４形式の番組コンテンツ９４２をＭＰＥＧ−２形式の番組コンテンツ９４１に変換して記憶部９０３に記憶したと仮定しても、この番組コンテンツ９４１は一旦ＭＰＥＧ−４形式に変換された番組コンテンツ９４２を、再度ＭＰＥＧ−２形式に変換したものであるから、画質的に劣化していることは避けられない。
【００１７】
また、上記従来の磁気メモリにデジタルオーディオを記憶し、選択し、再生し、不正コピーを防止する電子安全システム９８０のブロック構成図を図６に示す。
【００１８】
この電子安全システム９８０は、音楽ＣＤショップの店頭等に設置され、音楽ＣＤを購入しようとする人が、その購入しようとする音楽ＣＤが自分の要求に適うものか否かを、試聴することによって確認するための装置である。
【００１９】
従って、この電子安全システム９８０が再生する音楽は、販売する音楽ＣＤと完全に同一音質のものでなければならない。もしもそうでなければ、購入しようとする音楽の試聴にならないからである。
【００２０】
販売する音楽ＣＤと完全に同一音質の音楽を再生する方法の１つは、実際に販売する音楽ＣＤを使って再生することであるが、通常販売する音楽ＣＤは透明フイルム等によってパッケージ化されているので、このパッケージを開いて音楽ＣＤを試聴し、その結果もしも購入されなければ、その音楽ＣＤは商品としての価値を失ってしまう。
【００２１】
視聴用の音楽ＣＤを別途用意しておく方法も考えられるが、その方法では店で販売している音楽ＣＤ全ての視聴用ＣＤを用意しなければならない。
【００２２】
近年、大容量の磁気メモリが開発されているので、そのような大容量の磁気メモリにその店で販売している全音楽ＣＤのコンテンツを、音楽ＣＤと同一音質で記録保存しておくことも不可能ではない。
【００２３】
しかしながらこの方法では、その店で販売している全音楽ＣＤの記録再生のための著作権をその店が保持管理しなければならず、もしも仮にその店で販売している全音楽ＣＤのコンテンツを音楽ＣＤと同一音質で記録保存している大容量磁気メモリの全部または一部がコピーされたり持ち出されたならば、著作権法に違反することとなり、膨大な損害を被る結果となる。
【００２４】
そこでこの従来の電子安全システム９００では、この電子安全システムの外部記憶装置である圧縮コンテンツ記録磁気メモリ９７２に、その店で販売している全音楽ＣＤのコンテンツを何らかの方法で圧縮コード化し、ある程度音質の劣化を免れない音楽情報を記録している。
【００２５】
この圧縮コンテンツ記録磁気メモリ９７２は電子安全システム９８０の外部記憶装置であるから、その記憶情報は無断であるいは不法にコピーされたり持ち出される可能性が皆無とはいえない。
【００２６】
しかしながら、万一このような時にも、圧縮コンテンツ記録磁気メモリ９７２に記録されている音楽コンテンツは何らかの方法で圧縮コード化し、ある程度音質の劣化を免れないものであるから、店で販売している全音楽ＣＤが不法にコピーされたり持ち出されるのに比べると遥かに被害が少なく、あるいはまた、このようなある程度音質の劣化した音楽コンテンツに関しては予めコピーフリーのライセンス契約を結んでおくことも可能である。
【００２７】
そして、この電子安全システム９８０では、その店で販売している音楽ＣＤと同一音質の音楽を試聴できるようにするために、劣化している音楽情報を元の音楽ＣＤと同一音質に戻すための相補情報を相補情報記憶部９８６に記憶している。
【００２８】
この電子安全システム９８０で音楽の試聴を行うには、音楽選択部９８１の表示部９８２に表示されるガイダンスや操作メニューを見ながら、押しボタンスイッチ９８３を操作し、自分が試聴したい音楽を選択する。
【００２９】
選択された音楽情報が制御部９８７に送られると、制御部９８７では、選択された音楽の圧縮されたコンテンツ情報を圧縮コンテンツ記録磁気メモリ９７２から読み出し、この圧縮されたコンテンツ情報を元の音楽ＣＤと同一音質にするための相補情報を相補情報記憶部９８６から読み出し、これら２つの情報から元の音楽ＣＤと同一音質の音楽情報を作成する。この情報はスピーカ９８５に送られ、音楽が再生される。
【００３０】
相補情報記憶部９８６は電子安全システム９８０の内部メモリであるから、無断であるいは不法に読み出すことはできない。
【００３１】
また、仮に何らかの手段を使って相補情報記憶部９８６に記憶されている相補情報が読み出された時に備えて、この相補情報を何らかの方式で暗号化し、その復号鍵を制御部９８７で管理することも可能である。
【特許文献１】特開２００１−９３２２８号公報
【発明の開示】
【発明が解決しようとする課題】
【００３２】
しかしながら、例えば上記従来のデジタル放送受信機９００では、比較的高画質のＭＰＥＧ−２形式で番組コンテンツを記憶保存することが可能であるが、一度ＭＰＥＧ−４形式に変換して他の機器９３１で利用すると、その番組コンテンツを再度デジタル放送受信機９００に戻し、ＭＰＥＧ−２形式に戻したとしても、画質が劣化することは免れなかった。
【００３３】
また、上記従来の電子安全システムでは、著作権管理を行いながら音楽ＣＤと同一音質の音楽を再生することは可能であるが、その音楽コンテンツを他の機器に送って他の機器で利用することはできず、他の機器で利用できるのは圧縮コンテンツ記録磁気メモリ９７２に記録されているより音質的に劣る音楽コンテンツだけであるという課題があった。
【００３４】
本発明は上記課題を解決するために行われたもので、高画質の番組コンテンツを記憶保存することが可能で、その番組コンテンツを自由に他の機器に移動して利用することもでき、さらに一旦より画質的に劣る形式に変換して他の機器に移動して利用した時にも、再度元の高画質の番組コンテンツに戻して利用することが可能な、映像情報制御装置、映像情報制御方法、映像情報制御プログラムおよび映像情報制御プログラムを記録した記録媒体を提供するものである。
【課題を解決するための手段】
【００３５】
本特許出願に係る発明は上記課題を解決するため、以下の手段を採る。
【００３６】
本特許出願に係る請求項１に記載の発明は、第１の符号化映像情報から、前記第１の符号化映像情報よりも画質が劣る第２の方式で符号化した第２の符号化映像情報を作成する手段と、前記第２の符号化映像情報から前記第１の符号化映像情報を作成するための第１の差分情報を作成する手段とを有する、映像情報制御装置である。
【００３７】
本特許出願に係る請求項２に記載の発明は、前記第１の符号化映像情報を受信する手段をさらに有する、請求項１記載の映像情報制御装置である。
【００３８】
本特許出願に係る請求項３に記載の発明は、前記第２の符号化映像情報と前記第１の差分情報とを作成した後に前記第１の符号化映像情報を削除する手段をさらに有する、請求項１または請求項２に記載の映像情報制御装置である。
【００３９】
本特許出願に係る請求項４に記載の発明は、前記第２の符号化映像情報と前記第１の差分情報とを同一鍵または異なる鍵で暗号化する手段をさらに有する、請求項１から請求項３のいずれか１項に記載の映像情報制御装置である。
【００４０】
本特許出願に係る請求項５に記載の発明は、前記第２の符号化映像情報と前記第１の差分情報とのいずれか一方または両方を第１の外部機器に出力する手段をさらに有する、請求項１から請求項４のいずれか１項に記載の映像情報制御装置である。
【００４１】
本特許出願に係る請求項６に記載の発明は、前記第１の外部機器はＳＤメモリカードである、請求項５に記載の映像情報制御装置である。
【００４２】
本特許出願に係る請求項７に記載の発明は、前記第２の符号化映像情報と前記第１の差分情報とから前記第１の符号化映像情報を作成する手段をさらに有する、請求項１から請求項６のいずれか１項に記載の映像情報制御装置である。
【００４３】
本特許出願に係る請求項８に記載の発明は、前記第２の符号化映像情報はＭＰＥＧ−４規格による符号化映像情報である、請求項１から請求項７のいずれか１項に記載の映像情報制御装置である。
【００４４】
本特許出願に係る請求項９に記載の発明は、前記第２の符号化映像情報と前記第１の差分情報は、ビデオシンタックス階層のビジュアルオブジェクトとビデオオブジェクトレイヤとビデオオブジェクトプレーンとのいずれか１つあるいはいくつかを使って生成される、請求項１から請求項８のいずれか１項に記載の映像情報制御装置である。
【００４５】
本特許出願に係る請求項１０に記載の発明は、前記第２の符号化映像情報は一部のフレームを元に生成され、前記第１の差分情報はそれ以外のフレームを元に生成される、請求項１から請求項９のいずれか１項に記載の映像情報制御装置である。
【００４６】
本特許出願に係る請求項１１に記載の発明は、前記第２の符号化映像情報は必要に応じて再符号化が行われる、請求項１０に記載の映像情報制御装置である。
【００４７】
本特許出願に係る請求項１２に記載の発明は、前記一部のフレームはフレーム内圧縮フレームおよび前方向フレーム間圧縮フレームのいずれか一方または両方である、請求項１０に記載の映像情報制御装置である。
【００４８】
本特許出願に係る請求項１３に記載の発明は、前記第２の符号化映像情報は前記第１の符号化映像情報を低解像度に変換したものであり、前記第１の差分情報は前記第２の符号化映像情報を前記第１の符号化映像情報に戻す際に必要となる情報から作成される、請求項１から請求項１２のいずれか１項に記載の映像情報制御装置である。
【００４９】
本特許出願に係る請求項１４に記載の発明は、前記低解像度への変換は、各画素の全部あるいは一部を抽出または平均化することで行われる、請求項１３に記載の映像情報制御装置である。
【００５０】
本特許出願に係る請求項１５に記載の発明は、前記第２の符号化映像情報は輝度信号または色差信号の全部あるいは一部を抽出または平均化することで行われ、前記第１の差分情報は前記第２の符号化映像情報を前記第１の符号化映像情報に戻す際に必要となる情報から作成される、請求項１から請求項１４のいずれか１項に記載の映像情報制御装置である。
【００５１】
本特許出願に係る請求項１６に記載の発明は、第３の方式で符号化した第３の符号化映像情報を受信する手段と、前記第３の符号化映像情報から前記第３の方式よりも画像が優れる第４の方式で符号化した第４の符号化映像情報を作成するための第２の差分情報を受信する手段とを有する、映像情報制御装置である。
【００５２】
本特許出願に係る請求項１７に記載の発明は、前記第３の符号化映像情報と前記第２の差分情報とは同一鍵または異なる鍵で暗号化されている、請求項１６に記載の映像情報制御装置である。
【００５３】
本特許出願に係る請求項１８に記載の発明は、前記第３の符号化映像情報と前記第２の差分情報とのいずれか一方または両方を第２の外部機器に出力する手段をさらに有する、請求項１６または請求項１７に記載の映像情報制御装置である。
【００５４】
本特許出願に係る請求項１９に記載の発明は、前記第２の外部機器はＳＤメモリカードである、請求項１８に記載の映像情報制御装置である。
【００５５】
本特許出願に係る請求項２０に記載の発明は、前記第３の符号化映像情報と前記第２の差分情報とから前記第４の符号化映像情報を作成する手段をさらに有する、請求項１６から請求項１９のいずれか１項に記載の映像情報制御装置である。
【００５６】
本特許出願に係る請求項２１に記載の発明は、前記第３の符号化映像情報はＭＰＥＧ−４規格による符号化映像情報である請求項１６から請求項２０のいずれか１項に記載の映像情報制御装置である。
【００５７】
本特許出願に係る請求項２２に記載の発明は、前記第２の符号化映像情報と前記第１の差分情報は、ビデオシンタックス階層のビジュアルオブジェクトとビデオオブジェクトレイヤとビデオオブジェクトプレーンとのいずれか１つあるいはいくつかを使って生成される、請求項１６から請求項２１のいずれか１項に記載の映像情報制御装置である。
【００５８】
本特許出願に係る請求項２３に記載の発明は、前記第３の符号化映像情報は一部のフレームを元に生成され、前記第２の差分情報はそれ以外のフレームを元に生成される、請求項１６から請求項２２のいずれか１項に記載の映像情報制御装置である。
【００５９】
本特許出願に係る請求項２４に記載の発明は、前記第２の符号化映像情報は必要に応じて再符号化が行われる、請求項２３に記載の映像情報制御装置である。
【００６０】
本特許出願に係る請求項２５に記載の発明は、前記一部のフレームはフレーム内圧縮フレームおよび前方向フレーム間圧縮フレームのいずれか一方または両方である、請求項２３に記載の映像情報制御装置である。
【００６１】
本特許出願に係る請求項２６に記載の発明は、前記第２の符号化映像情報は前記第１の符号化映像情報を低解像度に変換したものであり、前記第１の差分情報は前記第２の符号化映像情報を前記第１の符号化映像情報に戻す際に必要となる情報から作成される、請求項１６から請求項２５のいずれか１項に記載の映像情報制御装置である。
【００６２】
本特許出願に係る請求項２７に記載の発明は、前記低解像度への変換は、各画素の全部あるいは一部を抽出または平均化することで行われる、請求項２６に記載の映像情報制御装置である。
【００６３】
本特許出願に係る請求項２８に記載の発明は、前記第２の符号化映像情報は輝度信号または色差信号の全部あるいは一部を抽出または平均化することで行われ、前記第１の差分情報は前記第２の符号化映像情報を前記第１の符号化映像情報に戻す際に必要となる情報から作成される、請求項１６から請求項２７のいずれか１項に記載の映像情報制御装置である。
【００６４】
本特許出願に係る請求項２９に記載の発明は、第１の符号化映像情報から、前記第１の符号化映像情報よりも画質が劣る第２の方式で符号化した第２の符号化映像情報を作成する手順と、前記第２の符号化映像情報から前記第１の符号化映像情報を作成するための第１の差分情報を作成する手順とを有する、映像情報制御方法である。
【００６５】
本特許出願に係る請求項３０に記載の発明は、コンピュータによって実行されるプログラムであって、第１の符号化映像情報から、前記第１の符号化映像情報よりも画質が劣る第２の方式で符号化した第２の符号化映像情報を作成するステップと、前記第２の符号化映像情報から前記第１の符号化映像情報を作成するための第１の差分情報を作成するステップとを有する、映像情報制御プログラムである。
【００６６】
本特許出願に係る請求項３１に記載の発明は、コンピュータによって読み取り可能な記録媒体であって、請求項３０に記載の映像情報制御プログラムを記録した記録媒体である。
【発明の効果】
【００６７】
本発明によると、高画質の番組コンテンツを記憶保存することが可能で、その番組コンテンツを自由に他の機器に移動して利用することもでき、さらに一旦より画質的に劣る形式に変換して他の機器に移動して利用した時にも、再度元の高画質の番組コンテンツに戻して利用することが可能となる。
【発明を実施するための最良の形態】
【００６８】
以下に、本発明の実施の形態について、図面を参照して説明する。
【００６９】
図１に本発明に係る映像情報制御装置、映像情報制御方法、映像情報制御プログラムおよび映像情報制御プログラムを記録した記録媒体の実施の形態である、デジタル放送受信機１００の主要部のブロック構成図を示す。
【００７０】
なお、図１では本発明に直接かつ密接に関連する部分だけを示し、それ以外の部分は省略している。
【００７１】
図２には、デジタル放送受信機１００と他の機器１３１とでそれぞれ最適な番組コンテンツを利用する手順を示す。
【００７２】
デジタル放送受信機１００では、受信部１０１でデジタル放送の電波を受信する。
【００７３】
なお、必ずしも電波による放送に限るものではなく、インターネット等のネットワークを介した同報的な通信、個別の通信であっても構わないし、ＤＶＤ等、パッケージメディアによる配布等であっても構わない。
【００７４】
受信されたデジタル放送電波は選局・復号部１０４で選局と復号が行われ、制御部１０２へ送られる。
【００７５】
制御部１０２へ送られたデータは、操作部（図示せず）からの操作指示に基づいて、再生部（図示せず）のスピーカや表示部（どちらも図示せず）で映像音声として再生されたり、あるいは記憶部１０３へ送られて、番組コンテンツ１４１としてＭＰＥＧ−２形式で記憶されたり、番組コンテンツ１４２としてＭＰＥＧ−４形式で記憶される。
【００７６】
これらの手順は、上記従来のデジタル放送受信機９００と同様である。
【００７７】
またこの時、例えば、そのコンテンツの著作権管理情報が１つのコピーを保持することしか許可していなかったとすると、ＭＰＥＧ−２形式の番組コンテンツ９４１またはＭＰＥＧ−４形式の番組コンテンツ９４２のどちらか一方しか記憶部９０３には記憶できないことに、留意しなければならない。
【００７８】
特にデジタルテレビ放送では、コンテンツの著作権管理が行われ、このようなケースが生じる可能性が極めて高いことが特徴的である。
【００７９】
このようなケースで、ＭＰＥＧ−４形式とＭＰＥＧ−２形式とでは、通常一般的にはＭＰＥＧ−２形式の方が画質的には優れていると考えられるので、このデジタル放送受信機１００は、記憶部１０３にＭＰＥＧ−２形式の番組コンテンツ１４１だけを、通常特別な事情がない限り記憶する（Ｓ２０１）。
【００８０】
これらについても、上記従来のデジタル放送受信機９００と同様である。
【００８１】
そして、操作部からの操作指示に基づいて、記憶部１０３に記憶している番組コンテンツ１４１を入出力部１０５を経由してＳＤメモリカード１２２に書き出し、そのＳＤメモリカード１２２に記録された番組コンテンツ１４１を他の機器１３１で利用すると仮定する。
【００８２】
さらに、このＳＤメモリカード１２２の記憶容量あるいは他の機器１３１の性能上の要請から、番組コンテンツ１４１をＭＰＥＧ−４形式に変換して出力しなければならないと仮定する。
【００８３】
このような仮定の下では、制御部１０２が記憶部１０３に記憶されているＭＰＥＧ−２形式の番組コンテンツ１４１を読み出し、デコードあるいはエンコードしてＭＰＥＧ−４形式の番組コンテンツ１４２を作成し、その番組コンテンツ１４２を入出力部１０５を経由してＳＤメモリカード１２２に書き出し、そのＳＤメモリカード１２２に記録された番組コンテンツ１４１を他の機器１３１で利用することができる。
【００８４】
しかしながら、上記の通り、このコンテンツの著作権管理情報が１つのコピーを保持することしか許可していなかったとすると、デジタル放送受信機１００は、この時同時に、記憶部１０３に記憶しているＭＰＥＧ−２形式の番組コンテンツ１４１を消去しなければならない。
【００８５】
そして次に、他の機器１３１での番組コンテンツ１４２の利用を終わり、その番組コンテンツ１４２を再度デジタル放送受信機１００で利用、あるいはデジタル放送受信機１００で記憶保持するため、再度ＳＤメモリカード１２２と入出力部１０５とを経由して、デジタル放送受信機１００の制御部１０２がそのＭＰＥＧ−４形式の番組コンテンツ１４２を読み込み、記憶部１０３に記憶すると仮定する。
【００８６】
この時、制御部１０２はＭＰＥＧ−４形式の番組コンテンツ１４２をそのままのＭＰＥＧ−４形式で記憶部１０３に記憶することもできるし、ＭＰＥＧ−２形式の番組コンテンツ１４１に変換して記憶部１０３に記憶することもできる。
【００８７】
しかしながら仮に、制御部１０２はＭＰＥＧ−４形式の番組コンテンツ１４２をＭＰＥＧ−２形式の番組コンテンツ１４１に変換して記憶部１０３に記憶したと仮定しても、この番組コンテンツ１４１は一旦ＭＰＥＧ−４形式に変換された番組コンテンツ１４２を、再度ＭＰＥＧ−２形式に変換したものであるから、画質的に劣化していることは避けられない。
【００８８】
そこで、このデジタル放送受信機１００では、記憶部１０３に記憶されているＭＰＥＧ−２形式の番組コンテンツ１４１を読み出し、デコードあるいはエンコードしてＭＰＥＧ−４形式の番組コンテンツ１４２を作成し、この時同時に、記憶部１０３に記憶しているＭＰＥＧ−２形式の番組コンテンツ１４１を消去するに際し、ＭＰＥＧ−４形式の番組コンテンツ１４２から、元の高画質のＭＰＥＧ−２形式の番組コンテンツ１４１を復元するための差分情報１４３を生成し、記憶部１０３に記憶保存する（Ｓ２０２）。
【００８９】
その上で、記憶部１０３に記憶しているＭＰＥＧ−２形式の番組コンテンツ１４１を消去し（Ｓ２０２）、番組コンテンツ１４２を入出力部１０５を経由してＳＤメモリカード１２２に書き出し（Ｓ２０３）、そのＳＤメモリカード１２２に記録された番組コンテンツ１４２を他の機器１３１で利用する（Ｓ２０４）。
【００９０】
元のＭＰＥＧ−２形式の番組コンテンツ１４１を復元するための差分情報１４３を生成保存することは、ＭＰＥＧ−２形式の番組コンテンツ１４１は消去しているので、著作権上の問題を生じない。
【００９１】
このように、差分情報１４３を記憶部１０３に記憶保存することによって、他の機器１３１での番組コンテンツ１４２の利用を終わり（Ｓ２０５）、その番組コンテンツ１４２を再度デジタル放送受信機１００で利用、あるいはデジタル放送受信機１００で記憶保持するため、再度ＳＤメモリカード１２２と入出力部１０５とを経由して、デジタル放送受信機１００の制御部１０２がそのＭＰＥＧ−４形式の番組コンテンツ１４２を読み込んだ時（Ｓ２０６）、ＭＰＥＧ−４形式の番組コンテンツ１４２と差分情報１４３とから、元の高画質のＭＰＥＧ−２形式の番組コンテンツ１４１を復元し（Ｓ２０７）、記憶部１０３に記憶保存し、利用することができる（Ｓ２０８）。
【００９２】
上記の通り、元のＭＰＥＧ−２形式の番組コンテンツ１４１を復元するための差分情報１４３を生成保存することは、ＭＰＥＧ−２形式の番組コンテンツ１４１は消去しているので、著作権上の問題を生じないが、ＭＰＥＧ−４形式の番組コンテンツ１４２を差分情報１４３とともに、入出力部１０５を経由してＳＤメモリカード１２２に書き出して、そのＳＤメモリカード１２２に記録された番組コンテンツ１４１を他の機器１３１で利用し、他の機器１３１での番組コンテンツ１４２の利用を終わり、その番組コンテンツ１４２を再度デジタル放送受信機１００で利用、あるいはデジタル放送受信機１００で記憶保持するため、再度ＳＤメモリカード１２２と入出力部１０５とを経由して、デジタル放送受信機１００の制御部１０２がそのＭＰＥＧ−４形式の番組コンテンツ１４２と差分情報１４３とを読み込むならば、より一層著作権管理を充実させることができる。
【００９３】
このように、ＭＰＥＧ−４形式の番組コンテンツ１４２を差分情報１４３とともにＳＤメモリカード１２２に書き出すならば、その番組コンテンツ１４２を再度デジタル放送受信機１００で利用する時だけでなく、他の何らかの機器で利用する時にも、ＭＰＥＧ−４形式の番組コンテンツ１４２と差分情報１４３とから、元の高画質のＭＰＥＧ−２形式の番組コンテンツ１４１を復元して利用することも可能である。
【００９４】
あるいは、さらに、この差分情報１４３を、あるいは、この差分情報１４３とＭＰＥＧ−４形式の番組コンテンツ１４２とを、暗号・復号鍵１４４で暗号化して、この暗号・復号鍵をＭＰＥＧ−４形式の番組コンテンツ１４２とともに、入出力部１０５を経由してＳＤメモリカード１２２に書き出して、そのＳＤメモリカード１２２に記録された番組コンテンツ１４２を他の機器１３１で利用し、他の機器１３１での番組コンテンツ１４２の利用を終わり、その番組コンテンツ１４２を再度デジタル放送受信機１００で利用、あるいはデジタル放送受信機１００で記憶保持するため、再度ＳＤメモリカード１２２と入出力部１０５とを経由して、デジタル放送受信機１００の制御部１０２がそのＭＰＥＧ−４形式の番組コンテンツ１４２と暗号・復号鍵１４４とを読み込み、そして、この暗号・復号鍵１４４を使って差分情報１４３を復号化し、ＭＰＥＧ−４形式の番組コンテンツ１４２と差分情報１４３とを使って元の高画質のＭＰＥＧ−２形式の番組コンテンツ１４１を復元することによっても、より一層著作権管理を充実させることができる。
【００９５】
また、ここでは、暗号・復号鍵１４４を暗号鍵と復号鍵とが同一の共通鍵であるとして説明したが、暗号鍵と復号鍵とが異なる鍵である、例えば公開鍵方式であるような時でも同様であるから、説明は省略する。
【００９６】
また、上記説明では、暗号・復号鍵１４４をＳＤメモリカード１２２に書き出す時には、暗号化された差分情報１４３は記憶部１０３に記憶保存するように説明したが、暗号・復号鍵１４４をＳＤメモリカード１２２に書き出す時にも、暗号化された差分情報１４３もまたＳＤメモリカード１２２に書き出しても構わない。
【００９７】
またさらに、上記説明では、差分情報１４３や暗号・復号鍵１４４を制御部１０２が生成するように説明したが、これらの差分情報１４３や暗号・復号鍵１４４を他の何らかの機器や装置で生成しても構わないし、これらの差分情報１４３や暗号・復号鍵１４４を生成した他の何らかの機器や装置から、デジタル放送受信機１００に対して配信あるいは送信するような構成でも構わない。
【００９８】
例えば、ＭＰＥＧ−４形式の番組コンテンツ１４２と差分情報１４３とをサーバ（図示せず）で生成し、デジタル放送受信機１００に配信し、デジタル放送受信機１００で、ＭＰＥＧ−４形式の番組コンテンツ１４２を利用しても構わないし、ＭＰＥＧ−４形式の番組コンテンツ１４２と差分情報１４３とからＭＰＥＧ−２形式の番組コンテンツ１４１を生成して利用しても構わない。
【００９９】
あるいは、サーバでＭＰＥＧ−４形式の番組コンテンツ１４２と差分情報１４３とを生成し、これを他の何らかの機器、例えば携帯電話（図示せず）に配信し、この携帯電話で、ＭＰＥＧ−４形式の番組コンテンツ１４２を利用しても構わないし、ＭＰＥＧ−４形式の番組コンテンツ１４２と差分情報１４３とからＭＰＥＧ−２形式の番組コンテンツ１４１を生成して利用しても構わないし、この携帯電話からさらに他の機器、例えば、デジタル放送受信機１００に送信し、デジタル放送受信機１００で、ＭＰＥＧ−４形式の番組コンテンツ１４２を利用しても構わないし、ＭＰＥＧ−４形式の番組コンテンツ１４２と差分情報１４３とからＭＰＥＧ−２形式の番組コンテンツ１４１を生成して利用しても構わない。
【０１００】
さらにまた、この時、サーバから配信されるＭＰＥＧ−４形式の番組コンテンツ１４２と差分情報１４３とのいずれかまたは両方は、同一あるいは異なる暗号鍵で暗号化されており、上記各機器、例えばデジタル放送受信機１００や携帯電話等でそれぞれ契約や料金の支払いが行われ、利用が許可された画質に応じてこの暗号化された情報を復号化するための鍵が付与され、その鍵を使ってＭＰＥＧ−４形式の番組コンテンツ１４２と差分情報１４３とを復号化し、ＭＰＥＧ−４形式の番組コンテンツ１４２やＭＰＥＧ−２形式の番組コンテンツ１４１を生成して利用しても構わない。
【０１０１】
また、上記高画質のＭＰＥＧ−２形式の番組コンテンツ１４１からデコードあるいはエンコードして生成されるより低画質の番組コンテンツ１４２は、必ずしもＭＰＥＧ−４形式に限るものではなく、他の何らかのフォーマットであっても構わないし、高画質の番組コンテンツも必ずしもＭＰＥＧ−２方式ではなく、他のどのような方式でコード化されていても構わない。
【０１０２】
このコードはデジタル放送受信機１００や他の機器１３１の仕様に従って決定されるものであって、他の種々の形式が考えられる。実質的には同一であるから、詳細な説明は省略する。
【０１０３】
上記差分情報１４３もまた、種々の方法で作成することができる。
【０１０４】
例えば、ＭＰＥＧ−４形式の動画像情報（ＶＯＳ：Ｖｉｓｕａｌ  Ｏｂｊｅｃｔ  Ｓｅｑｕｅｎｃｅ）のシンタックス階層を利用し、一部のビジュアルオブジェクト（ＶＯ：Ｖｉｓｕａｌ  Ｏｂｊｅｃｔ）、例えば主登場人物のビジュアルオブジェクトを低画質の番組コンテンツ１４２とし、他のビジュアルオブジェクト、例えばその他登場人物のビジュアルオブジェクトや背景のビジュアルオブジェクトから差分情報１４３を作成し、これらの全てのビジュアルオブジェクトを使って高画質の番組コンテンツ１４１を生成することができる。
【０１０５】
あるいは、同様に、ＭＰＥＧ−４形式の動画像情報のシンタックス階層を利用し、低画質用のビデオオブジェクトレイヤ（ＶＯＬ：Ｖｉｄｅｏ  Ｏｂｊｅｃｔ  Ｌａｙｅｒ）を低画質の番組コンテンツ１４２とし、高画質用の差分であるビデオオブジェクトレイヤを差分情報１４３とし、これらの全てのビデオオブジェクトレイヤーを使って高画質の番組コンテンツ１４１を生成することができる。
【０１０６】
あるいは、さらに同様に、ＭＰＥＧ−４形式の動画像情報のシンタックス階層を利用し、一部のビデオオブジェクトプレーン（ＶＯＰ：Ｖｉｄｅｏ  Ｏｂｊｅｃｔ  Ｐｌａｎｅ）を低画質の番組コンテンツ１４２とし、それ以外のビデオオブジェクトプレーンから差分情報１４３を作成し、これらの全てのビデオオブジェクトプレーンを使って高画質の番組コンテンツ１４１を生成することもできる。
【０１０７】
あるいは他の方法として、低画質の番組コンテンツ１４２を作成するためにＤＣＴ係数を量子化するとき、量子化によって落ちた情報を差分情報とすることもできる。
【０１０８】
次に、低画質の番組コンテンツ１４２と差分情報１４３と高画質の番組コンテンツ１４１とを作成する具体的な例を２つ示す。
【０１０９】
例えば、上記高画質のＭＰＥＧ−２形式の番組コンテンツ１４１からより低画質の番組コンテンツを生成する方法として、時間スケーラビリティを利用する方法と空間スケーラビリティを利用する方法が考えられる。その他各種方法や、これらを組み合わせた方法ももちろん可能であるがそれらに関しては説明を省略し、この２つについてのみ例を示す。
【０１１０】
図３には、時間スケーラビリティを利用して、高画質のＭＰＥＧ−２形式の番組コンテンツ１４１から、より低画質の番組コンテンツ１６１と差分情報１６２とを生成する手法を示す。
【０１１１】
図３の例では、高画質のＭＰＥＧ−２形式の番組コンテンツ１４１には、時間の経過方向に従って、フレーム番号１から９の各フレームが含まれている。
【０１１２】
当然、時間の前後方向にフレームが続いているが、省略している。
【０１１３】
この例では、より低画質の番組コンテンツ１６１を生成するため、フレーム番号１から９の各フレームから、フレーム番号１、２、４、５、７、８だけのフレームを抜き出して番組コンテンツ１６１を生成している。
【０１１４】
この例では、元のフレームの２／３のフレームを抜き出しているが、これはあくまでも１つの例であって、より多くのフレームを抜き出してより低画質の番組コンテンツ１６１を生成しても構わないし、より少ないフレームを抜き出してより高画質の番組コンテンツ１６１を生成しても構わない。
【０１１５】
そして、このより低画質の番組コンテンツ１６１に含まれなかったフレーム、すなわち、フレーム番号３、６、９の各フレームから差分情報１６２を生成する。
【０１１６】
このように、より低画質の番組コンテンツ１６１と差分情報１６２とを生成することによって、これらの情報を使えば容易に元の高画質の番組コンテンツ１４１を復元することが可能になる。
【０１１７】
但し、この高画質の番組コンテンツ１４１と低画質の番組コンテンツ１６１と差分情報１６２とに関して、もしもフレーム番号が４や７のフレームが例えばフレーム間圧縮フレームであったならば、番組コンテンツ１６１は正しく復号化できないことが起り得るので、このようなケースではフレーム番号が３や６のフレームも番組コンテンツ１６１に加えるか、あるは、番組コンテンツ１６１を再符号化する必要がある。
【０１１８】
また、同様にこのようなケースでは、フレーム番号が３、６、９の各フレームは、フレーム番号２、５、８の各フレームを高画質の画像に変換したものを前画面としてもよいし、差分情報の前方に高画質のフレーム内圧縮フレームを含む場合、それを前画面としてもよい。
【０１１９】
また、時間スケーラビリティを利用して、高画質の番組コンテンツ１４１からより低画質の番組コンテンツを生成するための、この例以外の方法として、例えば、抜き出すフレームをＭＰＥＧ−２形式のＧＯＰ（Ｇｒｏｕｐ  Ｏｆ  Ｐｉｔｃｕｔｅ）のＩフレームやＰフレームのいずれかあるいは両方とし、差分情報をＢフレームとする方法も、考えることもできる。
【０１２０】
このように、フレーム内圧縮フレームおよび前方向フレーム間圧縮フレームを、低画質の番組コンテンツ用フレームとし、双方向フレーム間圧縮フレームを高画質用差分データとすると、再符号化が不要あるいは計算量が減らせる可能性があるという利点が考えられる。
【０１２１】
例えば、原画像が、Ｉフレーム、Ｐフレーム、Ｂフレーム、Ｐフレーム、Ｂフレーム、Ｐフレーム・・・と続いていたと仮定する。
【０１２２】
このようなケースでは、Ｐフレームは直前のＩフレームまたはＰフレームから予測することができるので、単純にＢフレームを抽出するだけで、高画質用差分データを作成し、残りのフレームを低画質の番組コンテンツ用フレームとすることができる。
【０１２３】
図４には、空間スケーラビリティを利用して、高画質のＭＰＥＧ−２形式の番組コンテンツ１４１から、より低画質の番組コンテンツ１６３と差分情報１６４とを生成する手法を示す。
【０１２４】
図４の例では、高画質のＭＰＥＧ−２形式の番組コンテンツ１４１には、１つのフレーム内に、画素番号００から７８の各画素が含まれている。
【０１２５】
通常、画素数はより多いが、図面の都合上少ないケースを表示している。しかしながら、画素数がより多い場合にも本質的な部分は何ら変わらない。
【０１２６】
この例では、より低画質の番組コンテンツ１６３を生成するため、画素番号００から７８の各画素から、水平方向に、画素番号の下桁が０、１、３、４、６、７の各画素だけを抜き出し、垂直方向に、画素番号の上桁も０、１、３、４、６、７の各画素だけを抜き出して番組コンテンツ１６３を生成している。
【０１２７】
この例では、元のフレームの約２／３の画素を抜き出しているが、これはあくまでも１つの例であって、より多くの画素を抜き出してより低画質の番組コンテンツ１６１を生成しても構わないし、より少ない画素を抜き出してより高画質の番組コンテンツ１６３を生成しても構わない。
【０１２８】
あるいは、水平・垂直方向のどちらかを単位に、例えば、ある水平方向の１ラインを構成する画素は全て抜き出し、それ以外の水平方向の１ラインを構成する画素は全て抜き出さなくても構わない。逆に例えば、ある垂直方向の１ラインを構成する画素は全て抜き出し、それ以外の垂直方向の１ラインを構成する画素は全て抜き出さなくても構わない。
【０１２９】
そして、このより低画質の番組コンテンツ１６３に含まれなかった画素、すなわち、画素番号の下桁が２、５、８の各画素と、画素番号の上桁が２、５の各画素から差分情報１６４を生成する。
【０１３０】
このように、より低画質の番組コンテンツ１６３と差分情報１６４とを生成することによって、これらの情報を使えば容易に元の高画質の番組コンテンツ１４１を復元することが可能になる。
【０１３１】
また、空間スケーラビリティを利用して、高画質の番組コンテンツ１４１からより低画質の番組コンテンツを生成するための、この例の変形例として、例えば、画素を交互に抜き出して低画質の番組コンテンツ用の画素とし、残りの画素を差分情報とするのではなく、２つの画素の平均値を低画質の番組コンテンツ用の画素とし、例えばこの平均値とどちらか一方の画素との差を差分情報とすることもできる。これによって、この一方の画素の正確な値は計算することができるので、当然もう一方の画素の正確な値も計算することができる。
【０１３２】
また、さらに変形例として、各画素の色差信号や輝度信号だけを抜き出したり平均化することも可能である。
【０１３３】
例えば、輝度信号はそのまま低画質の番組コンテンツ用のデータとして残し、色差信号だけを１／２に間引いたり、あるいは、色差信号のＵ成分だけを１／２に間引いたり、あるいは、色差信号のＵ成分はそのままにして色差信号のＶ成分は全て除く等、種々の方法が可能である。
【０１３４】
この除いた信号は、差分信号とすることによって、元の画質の画像情報を復元することができる。
【０１３５】
また、この低画質の番組コンテンツを生成するために、一部の信号を除く時、例えば、色差信号のＵ成分とＶ成分とを１／２に間引くと仮定する時、低画質用のデータとして、１画素おきに色差信号のＵ成分とＵ成分とを取り出しても構わないし、隣り合った２つの画素の色差信号のＵ成分同士の平均値を低画質用のデータとしても構わない。Ｖ成分についても同様である。
【０１３６】
また、この時、差分情報の作成方法は上記と同様であるから詳細な説明は省略する。
【０１３７】
なお、このデジタル放送受信機１００は、本発明に係る映像情報制御装置の実施の形態であり、このデジタル放送受信機１００が行う手順は本発明に係る映像情報制御方法の実施の形態であり、このデジタル放送受信機１００はマイコンとそのマイコンを制御するコンピュータプログラムによって構成され、このコンピュータプログラムは本発明に係る映像情報制御プログラムの実施の形態であり、このコンピュータプログラムは何らかの記録媒体に記録保持され、この記録媒体は本発明に係る映像情報制御プログラムを記録した記録媒体の実施の形態である。
【産業上の利用可能性】
【０１３８】
本発明によると、高画質の番組コンテンツを記憶保存することが可能で、その番組コンテンツを自由に他の機器に移動して利用することもでき、さらに一旦より画質的に劣る形式に変換して他の機器に移動して利用した時にも、再度元の高画質の番組コンテンツに戻して利用することが可能となり、その産業上の利用可能性は極めて大きい。
【図面の簡単な説明】
【０１３９】
【図１】本発明の実施の形態であるデジタル放送受信機１００の主要部のブロック構成図
【図２】デジタル放送受信機１００と他の機器１３１とでそれぞれ最適な番組コンテンツを利用する手順を示す図
【図３】時間スケーラビリティを利用して、より低画質の番組コンテンツ１６１と差分情報１６２とを生成する手法を示す図
【図４】空間スケーラビリティを利用して、より低画質の番組コンテンツ１６３と差分情報１６４とを生成する手法を示す図
【図５】従来のデジタル放送受信機９００の主要部のブロック構成図
【図６】従来の不正コピーを防止する電子安全システム９８０のブロック構成図
【符号の説明】
【０１４０】
１００，９００    デジタル放送受信機
１０１，９０１    受信部
１０２，９０２    制御部
１０３，９０３    記憶部
１０５，９０５    入出力部
１２２，９２２    ＳＤメモリカード
１３１，９３１    他の機器
１４１，９４１    番組コンテンツ（ＭＰＥＧ−２形式）
１４２，９４２    番組コンテンツ（ＭＰＥＧ−４形式）
１４３，１６２，１６４    差分情報
１４４    暗号・復号鍵
１６１，１６３    より低画質形式の番組コンテンツ
９７２    圧縮コンテンツ記録磁気メモリ
９８０    電子安全システム
９８１    音楽選択部
９８２    表示部
９８３    押しボタンスイッチ
９８５    スピーカ
９８６    相補情報記憶部
９８７    制御部
【図１】
2006295785.tif 000003
【図２】
2006295785.tif 000004
【図３】
2006295785.tif 000005
【図４】
2006295785.tif 000006
【図５】
2006295785.tif 000007
【図６】
2006295785.tif 000008